【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる光画像情報を受光した際、上記出力手段における上記第１及び第２出力部から出力される信号と第３及び第４出力部から出力される信号との間に生じる偏差から補正データを算出する制御手段と、
この制御手段により算出された補正データに基づいて、上記出力手段における上記第１及び第２出力部から出力される信号と上記第３及び第４出力部から出力される信号との間に生じる偏差を補正する補正手段と、
を具備したことを特徴とする画像情報処理装置。
【請求項２】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる光画像情報を受光した際、上記出力手段における上記第１及び第２出力部から出力される信号と第３及び第４出力部から出力される信号との間に生じる偏差から補正データを算出する制御手段と、
この制御手段により算出された補正データに基づいて、上記出力手段における上記第１及び第２出力部から出力される信号と上記第３及び第４出力部から出力される信号とのいづれか一方の信号を補正する補正手段と、
を具備したことを特徴とする画像情報処理装置。
【請求項３】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出して補正データを算出する制御手段と、
この制御手段により算出された補正データに基づいて、上記出力手段における上記第１上記第１及び第２出力部から出力される信号と上記第３及び第４出力部から出力される信号とのいづれか一方の信号を補正する補正手段と、
を具備したことを特徴とする画像情報処理装置。
【請求項４】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出し、これら偏差の平均値を求めることにより補正データを算出する制御手段と、
この制御手段により算出された補正データに基づいて、上記出力手段における上記第１及び第２出力部から出力される信号と上記第３及び第４出力部から出力される信号との間に生じる偏差を補正する補正手段と、
を具備したことを特徴とする画像情報処理装置。
【請求項５】
光画像情報を受光して光電変換した電気信号を１ラインの素子に蓄積する工程と、
この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、
上記蓄積工程により基準となる光画像情報を受光した際、上記第１の方向の端部から出力される信号と上記第２の方向の端部から出力される信号との間に生じる偏差から補正データを算出する工程と、
この算出工程により算出された補正データに基づいて、上記第１の方向の端部から出力される信号と上記第２の方向の端部から出力される信号との間に生じる偏差を補正する工程と、
を具備したことを特徴とする画像情報処理方法。
【請求項６】
光画像情報を受光して光電変換した電気信号を１ラインの素子に蓄積する工程と、
この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、
上記蓄積工程により基準となる光画像情報を受光した際、上記第１の方向の端部から出力される信号と上記第２の方向の端部から出力される信号との間に生じる偏差から補正データを算出する工程と、
この算出工程により算出された補正データに基づいて、上記第１の方向の端部から出力される信号と上記第２の方向の端部から出力される信号とのいづれか一方の信号を補正する工程と、
を具備したことを特徴とする画像情報処理方法。
【請求項７】
光画像情報を受光して光電変換した電気信号を１ラインの素子に蓄積する工程と、
この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、
上記蓄積工程により基準となる、濃度変化する中間調の階調パターン原稿からの光画像情報を受光した際、上記出力工程における上記第１の方向の端部から出力される信号と第２の方向の端部から出力される信号とを比較して、上記階調パターン原稿の各階調毎の偏差を検出して補正データを算出する工程と、
この算出工程により算出された補正データに基づいて、上記第１の方向の端部から出力される信号と上記第２の方向の端部から出力される信号とのいづれか一方の信号を補正する工程と、
を具備したことを特徴とする画像情報処理方法。
【請求項８】
光画像情報を受光して光電変換した電気信号を１ラインの素子に蓄積する工程と、
上記蓄積工程により基準となる、濃度変化する中間調の階調パターン原稿からの光画像情報を受光した際、上記出力工程における上記第１の方向の端部から出力される信号と第２の方向の端部から出力される信号とを比較して、上記階調パターン原稿の各階調毎の偏差を検出し、これら偏差の平均値を求めることにより補正データを算出する工程と、
この算出工程により算出された補正データに基づいて、上記出力工程における上記第１の方向の端部から出力される信号と上記第２の方向の端部から出力される信号との間に生じる偏差を補正する工程と、
基準原稿となる濃度変化する中間調の階調パターン原稿からの光画像情報を受光した際、上記第１の方向から出力される信号と第２の方向から出力される信号の各階調データに対応する平均値を算出し、この第１の方向と第２の方向の各階調データから補間処理して階調段数を増加させ、第１の方向と第２の方向の補間した各階調データをもとに第１の方向と第２の方向の平均値を算出し、各階調データの第１の方向と第２の方向の逆補正した値を補正データとして設定する工程と、
を具備したことを特徴とする画像情報処理方法。
【請求項９】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる光画像情報を受光した際、上記出力手段における上記第１及び第２出力部から出力される信号と第３及び第４出力部から出力される信号との間に生じる偏差から補正データを算出する制御手段と、
この制御手段により算出された補正データに基づいて、上記出力手段における上記第１及び第２出力部から出力される信号と上記第３及び第４出力部から出力される信号との間に生じる偏差を補正する補正手段と、
この補正手段で補正された上記第１及び第２出力部から出力される信号と上記第３及び第４出力部から出力される信号とから画像を形成する画像形成手段と、
を具備したことを特徴とする画像形成装置。
【請求項１０】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる光画像情報を受光した際、上記出力手段における上記第１及び第２出力部から出力される信号と第３及び第４出力部から出力される信号との間に生じる偏差から補正データを算出する制御手段と、
この制御手段により算出された補正データに基づいて、上記出力手段における上記第１及び第２出力部から出力される信号と上記第３及び第４出力部から出力される信号とのいづれか一方の信号を補正する補正手段と、
この補正手段で補正された上記第１及び第２出力部から出力される信号と上記第３及び第４出力部とから画像を形成する画像形成手段と、
を具備したことを特徴とする画像形成装置。
【請求項１１】
光画像情報を受光して光電変換した電気信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出して補正データを算出する制御手段と、
この制御手段により算出された補正データに基づいて、上記出力手段における上記第１及び第２出力部から出力される信号と上記第３及び第４出力部から出力される信号とのいづれか一方の信号を補正する補正手段と、
この補正手段で補正された上記第１及び第２出力部から出力される信号と上記第３及び第４出力部とから画像を形成する画像形成手段と、
を具備したことを特徴とする画像形成装置。
【請求項１２】
光画像情報を受光して光電変換した電位信号を１ラインの素子に蓄積する蓄積手段と、
この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、
上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出し、これら偏差の平均値を求めることにより補正データを算出する制御手段と、
この制御手段により算出された補正データに基づいて、上記出力手段における上記第１及び第２出力部から出力される信号と上記第３及び第４出力部から出力される信号との間に生じる偏差を補正する補正手段と、
この補正手段で補正された上記第１及び第２出力部から出力される信号と上記第３及び第４出力部とから画像を形成する画像形成手段と、
を具備したことを特徴とする画像形成装置。
【手続補正２】
【補正対象書類名】明細書
【補正対象項目名】００１９
【補正方法】変更
【補正の内容】
【００１９】
【課題を解決するための手段】
この発明の画像情報処理装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる光画像情報を受光した際、上記出力手段における上記第１及び第２出力部から出力される信号と第３及び第４出力部から出力される信号との間に生じる偏差から補正データを算出する制御手段と、この制御手段により算出された補正データに基づいて、上記出力手段における上記第１及び第２出力部から出力される信号と上記第３及び第４出力部から出力される信号との間に生じる偏差を補正する補正手段とから構成されている。
【手続補正３】
【補正対象書類名】明細書
【補正対象項目名】００２０
【補正方法】変更
【補正の内容】
【００２０】
この発明の画像情報処理装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる光画像情報を受光した際、上記出力手段における上記第１及び第２出力部から出力される信号と第３及び第４出力部から出力される信号との間に生じる偏差から補正データを算出する制御手段と、この制御手段により算出された補正データに基づいて、上記出力手段における上記第１及び第２出力部から出力される信号と上記第３及び第４出力部から出力される信号とのいづれか一方の信号を補正する補正手段とから構成されている。
【手続補正４】
【補正対象書類名】明細書
【補正対象項目名】００２１
【補正方法】変更
【補正の内容】
【００２１】
この発明の画像情報処理装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出して補正データを算出する制御手段と、この制御手段により算出された補正データに基づいて、上記出力手段における上記第１上記第１及び第２出力部から出力される信号と上記第３及び第４出力部から出力される信号とのいづれか一方の信号を補正する補正手段とから構成されている。
【手続補正５】
【補正対象書類名】明細書
【補正対象項目名】００２２
【補正方法】変更
【補正の内容】
【００２２】
この発明の画像情報処理装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出し、これら偏差の平均値を求めることにより補正データを算出する制御手段と、この制御手段により算出された補正データに基づいて、上記出力手段における上記第１及び第２出力部から出力される信号と上記第３及び第４出力部から出力される信号との間に生じる偏差を補正する補正手段とから構成されている。
【手続補正６】
【補正対象書類名】明細書
【補正対象項目名】００２３
【補正方法】変更
【補正の内容】
【００２３】
この発明の画像情報処理方法は、光画像情報を受光して光電変換した電気信号を１ラインの素子に蓄積する工程と、この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、上記蓄積工程により基準となる光画像情報を受光した際、上記第１の方向の端部から出力される信号と上記第２の方向の端部から出力される信号との間に生じる偏差から補正データを算出する工程と、この算出工程により算出された補正データに基づいて、上記第１の方向の端部から出力される信号と上記第２の方向の端部から出力される信号との間に生じる偏差を補正する工程とを具備したことを特徴とする。
【手続補正７】
【補正対象書類名】明細書
【補正対象項目名】００２４
【補正方法】変更
【補正の内容】
【００２４】
この発明の画像情報処理方法は、光画像情報を受光して光電変換した電気信号を１ラインの素子に蓄積する工程と、この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、上記蓄積工程により基準となる光画像情報を受光した際、上記第１の方向の端部から出力される信号と上記第２の方向の端部から出力される信号との間に生じる偏差から補正データを算出する工程と、この算出工程により算出された補正データに基づいて、上記第１の方向の端部から出力される信号と上記第２の方向の端部から出力される信号とのいづれか一方の信号を補正する工程とを具備したことを特徴とする。
【手続補正８】
【補正対象書類名】明細書
【補正対象項目名】００２５
【補正方法】変更
【補正の内容】
【００２５】
この発明の画像情報処理方法は、光画像情報を受光して光電変換した電気信号を１ラインの素子に蓄積する工程と、この蓄積した電気信号を上記１ラインの素子のうちラインの第１の方向の端部から偶数おきに出力し、上記１ラインの素子のうち上記第１の方向の端部から奇数おきに出力し、上記１ラインの素子のうち上記第１の方向と反対の第２の方向から偶数おきに出力し、上記１ラインの素子のうち上記第２の方向の端部から奇数おきに出力する工程と、上記蓄積工程により基準となる、濃度変化する中間調の階調パターン原稿からの光画像情報を受光した際、上記出力工程における上記第１の方向の端部から出力される信号と第２の方向の端部から出力される信号とを比較して、上記階調パターン原稿の各階調毎の偏差を検出して補正データを算出する工程と、この算出工程により算出された補正データに基づいて、上記第１の方向の端部から出力される信号と上記第２の方向の端部から出力される信号とのいづれか一方の信号を補正する工程とを具備したことを特徴とする。
【手続補正９】
【補正対象書類名】明細書
【補正対象項目名】００２６
【補正方法】変更
【補正の内容】
【００２６】
この発明の画像情報処理方法は、光画像情報を受光して光電変換した電気信号を１ラインの素子に蓄積する工程と、上記蓄積工程により基準となる、濃度変化する中間調の階調パターン原稿からの光画像情報を受光した際、上記出力工程における上記第１の方向の端部から出力される信号と第２の方向の端部から出力される信号とを比較して、上記階調パターン原稿の各階調毎の偏差を検出し、これら偏差の平均値を求めることにより補正データを算出する工程と、この算出工程により算出された補正データに基づいて、上記出力工程における上記第１の方向の端部から出力される信号と上記第２の方向の端部から出力される信号との間に生じる偏差を補正する工程と、基準原稿となる濃度変化する中間調の階調パターン原稿からの光画像情報を受光した際、上記第１の方向から出力される信号と第２の方向から出力される信号の各階調データに対応する平均値を算出し、この第１の方向と第２の方向の各階調データから補間処理して階調段数を増加させ、第１の方向と第２の方向の補間した各階調データをもとに第１の方向と第２の方向の平均値を算出し、各階調データの第１の方向と第２の方向の逆補正した値を補正データとして設定する工程とを具備したことを特徴とする。
【手続補正１０】
【補正対象書類名】明細書
【補正対象項目名】００２７
【補正方法】変更
【補正の内容】
【００２７】
この発明の画像形成装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる光画像情報を受光した際、上記出力手段における上記第１及び第２出力部から出力される信号と第３及び第４出力部から出力される信号との間に生じる偏差から補正データを算出する制御手段と、この制御手段により算出された補正データに基づいて、上記出力手段における上記第１及び第２出力部から出力される信号と上記第３及び第４出力部から出力される信号との間に生じる偏差を補正する補正手段と、この補正手段で補正された上記第１及び第２出力部から出力される信号と上記第３及び第４出力部から出力される信号とから画像を形成する画像形成手段とから構成されている。
【手続補正１１】
【補正対象書類名】明細書
【補正対象項目名】００２８
【補正方法】変更
【補正の内容】
【００２８】
この発明の画像形成装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる光画像情報を受光した際、上記出力手段における上記第１及び第２出力部から出力される信号と第３及び第４出力部から出力される信号との間に生じる偏差から補正データを算出する制御手段と、この制御手段により算出された補正データに基づいて、上記出力手段における上記第１及び第２出力部から出力される信号と上記第３及び第４出力部から出力される信号とのいづれか一方の信号を補正する補正手段と、この補正手段で補正された上記第１及び第２出力部から出力される信号と上記第３及び第４出力部とから画像を形成する画像形成手段とから構成されている。
【手続補正１２】
【補正対象書類名】明細書
【補正対象項目名】００２９
【補正方法】変更
【補正の内容】
【００２９】
この発明の画像形成装置は、光画像情報を受光して光電変換した電気信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出して補正データを算出する制御手段と、この制御手段により算出された補正データに基づいて、上記出力手段における上記第１及び第２出力部から出力される信号と上記第３及び第４出力部から出力される信号とのいづれか一方の信号を補正する補正手段と、この補正手段で補正された上記第１及び第２出力部から出力される信号と上記第３及び第４出力部とから画像を形成する画像形成手段とから構成されている。
【手続補正１３】
【補正対象書類名】明細書
【補正対象項目名】００３０
【補正方法】変更
【補正の内容】
【００３０】
この発明の画像形成装置は、光画像情報を受光して光電変換した電位信号を１ラインの素子に蓄積する蓄積手段と、この蓄積手段に蓄積した電気信号を上記１ラインの素子のうちラインの第１の方向の端部から偶数おきに出力する第１出力部と、上記１ラインの素子のうち上記第１の方向の端部から奇数おきに出力する第２出力部と、上記１ラインの素子のうち上記第１の方向と反対の第２の方向から偶数おきに出力する第３出力部と、上記１ラインの素子のうち上記第２の方向の端部から奇数おきに出力する第４出力部とを有する出力手段と、上記蓄積手段が基準となる、濃度変化する中間調の階調パターン原稿からの光画像情報を受光した際、上記出力手段における上記第１及び第２出力部から出力される信号と第３及び第４出力部から出力される信号とを比較して、上記階調パターン原稿の各階調毎の偏差を検出し、これら偏差の平均値を求めることにより補正データを算出する制御手段と、この制御手段により算出された補正データに基づいて、上記出力手段における上記第１及び第２出力部から出力される信号と上記第３及び第４出力部から出力される信号との間に生じる偏差を補正する補正手段と、この補正手段で補正された上記第１及び第２出力部から出力される信号と上記第３及び第４出力部とから画像を形成する画像形成手段とから構成されている。